(57)【特許請求の範囲】
【請求項１】
中空の略円柱形状をし、端面に未使用，撮影途中，撮影済み，現像済みを表すそれぞれ異なった形状の表示開口が形成された第１，第２ケースと、これら第１，第２ケースを組み合わせてなるカートリッジ本体内に回転自在に収納されるスプールとからなり、前記スプールにフイルムの一端を係止して、スプールの回転によってフイルムをカートリッジ本体内に巻き込むようにしたフイルムカートリッジにおいて、
前記現像済みを表す表示開口の位置に、この表示開口と同形状をしたマークがカートリッジ本体と異なった色で印刷された第１，第２ケースからカートリッジ本体を構成し、レンズ付きフイルムユニット専用に用いられることを特徴とするフイルムカートリッジ。
【請求項２】
中空の略円柱形状をし、端面に未使用，撮影途中，撮影済み，現像済みを表すそれぞれ異なった形状の表示開口が形成された第１，第２ケースと、これら第１，第２ケースを組み合わせてなるカートリッジ本体内に回転自在に収納されるスプールとからなり、前記スプールにフイルムの一端を係止して、スプールの回転によってフイルムをカートリッジ本体内に巻き込むようにしたフイルムカートリッジにおいて、
前記現像済みを表す表示開口の位置に、この表示開口と同形状で内面がカートリッジ本体と異なる色で印刷された凹部が形成された第１，第２ケースからカートリッジ本体を構成し、レンズ付きフイルムユニット専用に用いられることを特徴とするフイルムカートリッジ。
【請求項３】
前記未使用，撮影途中，撮影済みをそれぞれ表す表示開口は、第１，第２ケースに形成されていないことを特徴とする請求項１及び２記載のフイルムカートリッジ。
【請求項４】
前記未使用，撮影途中，撮影済みをそれぞれ表す表示開口の位置には、同形状の凹部が形成されていることを特徴とする請求項１及び２記載のフイルムカートリッジ。
【請求項５】
前記スプールには、スプールと一体に回転し、スプールの停止時にいずれかの表示開口から露呈されてフイルムの使用状態を表示する表示板が取り付けられており、該表示板をカートリッジ本体と同色としたことを特徴とする請求項１及び２記載のフイルムカートリッジ。
【請求項６】
中空の略円柱形状をし、端面に未使用，撮影途中，撮影済み，現像済みを表すそれぞれ異なった形状の表示開口が形成された第１，第２ケースと、これら第１，第２ケースを組み合わせてなるカートリッジ本体内に回転自在に収納されるスプールとからなり、前記スプールにフイルムの一端を係止して、スプールの回転によってフイルムをカートリッジ本体内に巻き込むようにしたフイルムカートリッジにおいて、
前記表示開口として、撮影済みを表す表示開口と現像済みを表す表示開口のみが形成された第１，第２ケースからカートリッジ本体を構成し、レンズ付きフイルムユニット専用に用いられることを特徴とするフイルムカートリッジ。
【請求項７】
前記未使用を表す表示開口と、前記撮影途中を表す表示開口とが形成されていた位置に、これらの表示開口と同形状の凹部を形成し、レンズ付きフイルムユニット専用に用いられることを特徴とする請求項６記載のフイルムカートリッジ。
【請求項８】
前記未使用を表す凹部及び撮影途中を表す凹部と、前記撮影済みを表す表示開口及び現像済みを表す表示開口とは、第１ケースと第２ケースとにそれぞれ別々に形成されることを特徴とする請求項７記載のフイルムカートリッジ。
【請求項９】
中空の略円柱形状をし、端面に未使用，撮影途中，撮影済み，現像済みを表すそれぞれ異なった形状の表示開口が形成された第１，第２ケースと、これら第１，第２ケースを組み合わせてなるカートリッジ本体内に回転自在に収納されるスプールとからなり、前記スプールにフイルムの一端を係止して、スプールの回転によってフイルムをカートリッジ本体内に巻き込むようにしたフイルムカートリッジにおいて、
前記表示開口として、現像済みを表す表示開口のみが形成された第１，第２ケースからカートリッジ本体を構成し、レンズ付きフイルムユニット専用に用いられることを特徴とするフイルムカートリッジ。
【請求項１０】
前記未使用を表す表示開口と、前記撮影途中を表す表示開口と、前記撮影済みを表す表示開口とが形成されていた位置に、これらの表示開口と同形状の凹部を形成し、レンズ付きフイルムユニット専用に用いられることを特徴とする請求項９記載のフイルムカートリッジ。
【発明の詳細な説明】
【０００１】
【発明の属する技術分野】
本発明は、レンズ付きフイルムユニットに使用されるフイルムカートリッジに関するものである。
【０００２】
【従来の技術】
写真フイルムを全てカートリッジ本体内に収納して、カメラ等への機器への装填を容易にし、装填後にスプールの回転によって写真フイルムを送り出すようにしたフイルムカートリッジが販売されている。また、このフイルムカートリッジを予め装填したレンズ付きフイルムユニットもある。このフイルムカートリッジは、スプールによるフイルム送り出しとともに、収納している写真フイルムの使用状態を表示する機構を備えている。
【０００３】
図７は、上記フイルムカートリッジの一方の端面を示すものであり、第１ケース２ａ，第２ケース２ｂからなる略円柱形状のカートリッジ本体２の端面には、未使用，撮影途中，撮影済み，現像済みを表すそれぞれ異なった形状の４個の表示開口３，４，５，６が形成されており、これらの表示開口３〜６の背後でスプール７と一体に回転する表示板８が設けられている。そして、図８に示すように、例えば表示板８を表示開口６の背後で停止することにより外部に露呈させ、収納している写真フイルムが現像済みであることを表示する。
【０００４】
【発明が解決しようとする課題】
上記表示板８と各表示開口３〜６とで写真フイルムの使用状態の表示を行うには、スプール７の回転位置を検出する手段と、スプール７を正確な位置で停止させる手段とが必要となる。しかしながら、これらの手段は低価格なレンズ付きフイルムユニットには用いることができないため、レンズ付きフイルムユニットから取り出されたフイルムカートリッジ２は、表示板８の位置が特定されない。
【０００５】
レンズ付きフイルムユニット本来の使用方法では、現像の依頼時にはレンズ付きフイルムユニットごと取扱店が受け取り、フイルムカートリッジの取り出しは現像所において行うようになっている。そのため、表示板８がどの位置にあっても何ら問題はないが、例えば、ユーザーが自分でフイルムカートリッジを取り出してしまうことも考えられ、その際に、表示板８が未使用や撮影途中を表す表示開口の位置にあった場合、誤ってカメラに装填してしてしまうことがある。
【０００６】
また、レンズ付きフイルムユニットに用いられる写真フイルムは、特殊な加工を施して一般のカメラ用の写真フイルムと異なる場合がある。しかしながら、両者は同じカートリッジ本体を用いているため外観では判別ができない。そのため、レンズ付きフイルムユニットの組み立て工程に一般のカメラ用のフイルムカートリッジが混入して、不良品を製造してしまう恐れがある。
【０００７】
上記のような問題を解決するために、表示板を取り除き、現像済みを表す表示開口にカートリッジ本体と異なる色の板を嵌め込むことが考えられているが、表示板には、スプールをロックする際に使用されるロックギヤが一体に形成されているため、このロックギヤを備えた専用の部品を新たに用意する必要があり、更には表示開口に嵌め込む板が必要となるため、部品点数の増加によりコストアップしてしまう。
【０００８】
本発明は、上記問題点を解決するためのもので、低コストに誤装填の防止ができるフイルムカートリッジを提供することを目的とする。
【０００９】
【課題を解決するための手段】
上記問題点を解決するために、請求項１〜５記載の発明は、現像済みを表す表示開口の位置に、この表示開口と同形状をしたマーク、あるいは表示開口と同形状で内面がカートリッジ本体と異なる色で印刷された凹部を設け、表示内容が必ず現像済みとなるようにしたものである。また、未使用，撮影途中，撮影済みを表す表示開口は、廃止したり、あるいは同形状の凹部を同位置に設ける。更に、未使用，撮影途中，撮影済みを表す表示開口を設ける場合には、表示板をカートリッジ本体と同色にし、表示板がいずれかの表示開口から露呈されても目立たないようにする。
【００１０】
また、請求項６〜８記載の発明は、表示開口として、撮影済みを表す表示開口と現像済みを表す表示開口のみを形成し、表示内容が必ず撮影済み、あるいは現像済みとなるようにしたものである。更に、未使用，撮影途中を表す表示開口は、廃止したり、あるいは同形状の凹部を同位置に設ける。また、表示開口と凹部とを第１ケースと第２ケースとにそれぞれ別々に形成し、第１ケースあるいは第２ケースの一方を、一般的なカメラに使用されるフイルムカートリッジのものと共通にする。
【００１１】
更に、請求項９及び１０記載の発明は、表示開口として、撮現像済みを表す表示開口のみを形成し、表示内容が必ず現像済み以外のものとならないようにしたものである。また、未使用，撮影途中，撮影済みを表す表示開口は、廃止したり、あるいは同形状の凹部を同位置に設けるようにする。
【００１２】
【発明の実施の形態】
図２は、本発明のフイルムカートリッジの第１の実施形態を示す分解斜視図である。フイルムカートリッジ１０は、略円柱形状のカートリッジ本体１１と、このカートリッジ本体１１内に収納される写真フイルム１２と、カートリッジ本体１１の外周面に貼着されるラベル１３とから構成されている。カートリッジ本体１１は、プラスチックで形成された第１ケース１４，第２ケース１５が組み合わされたもので内部は中空となっている。
【００１３】
カートリッジ本体１１内には、スプール１６が回転自在に収納され、このスプール１６に一端が係止された写真フイルム１２がロール状に巻き付けられて収納される。このフイルムカートリッジ１０は、一般のカメラ用のフイルムカートリッジとは異なる第１ケース１４及び第２ケース１５を用いて、レンズ付きフイルムユニット専用としたものである。
【００１４】
第１，第２ケース１４，１５の合わせ目には、カートリッジ本体１１から写真フイルム１２を出入りさせるためのフイルム出入り口１８が形成されており、このフイルム出入り口１８の奥には、外部から駆動されて回動することによりフイルム出入り口１８を開閉する遮光蓋１９が嵌め込まれる。第２ケース１５のフイルム出入り口１８の奥には、突起２１が形成されている。この突起２１は、スプール１６に巻かれた写真フイルム１２の先端部をすくい上げてフイルム出入り口１８に導く。
【００１５】
スプール１６の両端部には、ディスク２３，２４が開口２３ａ，２４ａを利用して回転自在に嵌め込まれる。これらのディスク２３，２４の外周には、リップ２３ｂ，２４ｂがそれぞれ向き合うように突出し、スプール１６に巻かれた写真フイルム１２の最外周を両端面側から部分的に包み込み、カートリッジ本体１１内での写真フイルム１２の巻き緩みを防止する。これにより、スプール１６が図中時計方向であるフイルム送り出し方向に回転すると、写真フイルム１２はスプール１６と一緒に回転し、この回転途中で写真フイルム１２の先端が突起２１に導かれてフイルム出入り口１８から外部に送り出される。
【００１６】
ディスク２４の外側のスプール１６の端部には、ロック部材２６が取り付けられる。このロック部材２６には、表示板２７と、ロックギヤ２６ａとが一体に形成されており、スプール１６と一体に回転する。表示板２７は、端面に未使用，撮影途中，撮影済み，現像済みをそれぞれ表す異なった形状の表示開口が形成された第１，第２ケースからなるカートリッジ本体と組み合わされた際に、いずれか一つの表示開口の背後で停止して、収納する写真フイルムの使用状態を表示するものである。
【００１７】
また、ロック部材２６のディスク２４に対面する端面には、一対の爪部材２６ｂが設けられている。この一対の爪部材２６ｂは、スプール１６がフイルム送り出し方向に回転する際に、ディスク２４の開口２４ａの外周に形成された４個の係止穴２４ｃに係合して、ディスク２４を一体に回転させる。なお、爪部材２６ｂはスプール１６がフイルム巻込み方向に回転したときにはディスク２４の係止穴２４ｃとは係止せず、ディスク２４の回転を自由にする。
【００１８】
符号３２は、スプール１６をロックするロックレバーである。ロックレバー３２は、遮光蓋１９が閉じ位置に回動したときに、遮光蓋１９に一体に形成されたカムによって押圧されてロック部材２６のロックギヤ２６ａに噛合し、スプール１６の回転をロックする。このロックレバー３２によるスプール１６のロックは、遮光蓋１９が開き位置に移動したときに解除される。
【００１９】
スプール１６の他方の端部には、扇形に切り欠かれたデータ板２９が一体に形成されており、その表面には放射状にバーコードが記されたデータラベル３０が貼着される。このデータラベル３０に記されたバーコードは、収納した写真フイルム１２の感度，撮影枚数等を示すもので、カメラ等の機器に装填された時に、機器内の装置で読み取られる。なお、写真フイルム１２がカートリッジ本体１１内に全て巻き込まれている状態でのスプール１６の停止位置は、データ板２９の切欠の位置を検出することにより決定される。
【００２０】
図１及び図３に示すように、第１ケース１４及び第２ケース１５は、端面に表示開口が形成されていないタイプのものであり、ロック部材２６の表示板２７は外部から視認できないようになっている。第２ケース１５の端面には、図７に示した表示開口６と同位置に、同形状のマーク３４が印刷されている。このマーク３４は、収納している写真フイルム１２が現像済みであることを表す。また、マーク３４は、視認しやすいように第１，第２ケース１４，１５とは異なる色、例えば白色で印刷されている。マーク３４の印刷は、タンポ，シルク，箔押し等の方法を用いる。
【００２１】
また、カートリッジ本体１１の端面には、現像処理後に現像所で折り取られる表示爪３６が設けられている。この表示爪３６の有無によって、収納されている写真フイルム１２が本当に現像済みであるか否かを判別できる。
【００２２】
次に、上記実施形態の作用について説明する。上記フイルムカートリッジ１０は、レンズ付きフイルムユニットに装填された状態で販売される。レンズ付きフイルムユニットでは、撮影毎に露光済みの写真フイルム１２が１コマずつカートリッジ本体１１内に巻き上げられる。そして、全てのコマへの撮影が終了すると、写真フイルム１２は全てカートリッジ本体１１内に巻き上げられた状態となる。ユーザーは、レンズ付きフイルムユニットを現像取次店に渡して、同時プリント等の依頼を行う。
【００２３】
現像所では、レンズ付きフイルムユニットからフイルムカートリッジ１０を取り出して現像処理とプリント処理とを行う。現像済みの写真フイルム１２は、再びカートリッジ本体１１内に巻き戻され、プリント写真とともにユーザーに返却される。返却されたフイルムカートリッジ１０は、ロック部材２６の表示板２７が外部から視認できず、現像済みを表すマーク３４のみが端面にあるので、ユーザーは内部に収納されている写真フイルム１２が現像済みであることが判別できる。
【００２４】
また、現像所では、データ板２９の切欠が現像済みを示す位置、すなわちロック部材２６の表示板２７が、マーク３４の背後に配置されている状態でスプール１６をロックして返却するので、誤ってカメラに装填した場合でもカメラ内の誤装填防止機構によって誤使用は起こらない。
【００２５】
また、ユーザーが自分でレンズ付きフイルムユニットからフイルムカートリッジ１０を取り出した場合には、表示板２７が視認できず、現像済みを表す位置にマーク３４があることから、収納されている写真フイルム１２が未使用であるとは思わないので、誤ってカメラ等に装填することはない。また、端面に表示開口が無いので、レンズ付きフイルムユニット専用のフイルムカートリッジであることがすぐに判別でき、その後に表示爪３６の有無を確認することで、本当に現像済みであるか否かが容易に分かる。
【００２６】
このように、レンズ付きフイルムユニットでは、ユーザーは現像終了後に返却された時に始めてフイルムカートリッジ１０を見ることになるので、レンズ付きフイルムユニット専用のフイルムカートリッジには現像済みを表すマーク３４のみを設けるようにしても何ら支障はない。そして、このフイルムカートリッジ１０を製造するために、第１ケース１４及び第２ケース１５のみを変更したので、内部の部品構成を通常のカメラ用のフイルムカートリッジと同じにすることができる。また、部品点数も増えず、第１ケース１４及び第２ケース１５も現状の金型を僅かに手直しするだけで済むのでコストを現状維持することができる。更に、カートリッジ本体１１の端面を確認することにより、レンズ付きフイルムユニット専用か否かが簡単に判別できる。
【００２７】
次に、本発明のフイルムカートリッジの第２の実施形態について説明する。なお、上記第１の実施形態で説明したフイルムカートリッジと同じ部品については、同符号を用いる。図４及び図５に示すように、本実施形態では、第１ケース１４及び第２ケース１５の端面に、未使用，撮影途中，撮影済み，現像済みをそれぞれ表す形状の凹部４０，４１，４２，４３が形成されている。そして、現像済みを表す凹部４３の内部には、第１，第２ケース１４，１５と異なる色、例えば白色で印刷４４を施して、レンズ付きフイルムユニット専用のフイルムカートリッジとしている。
【００２８】
これによれば、上記第１の実施形態と同様に、ユーザーによる誤装填を防止することができる。また、内部の部品構成を通常のカメラ用のフイルムカートリッジと同じにすることができる。更に、部品点数も増えず、第１ケース１４及び第２ケース１５も金型を僅かに手直しするだけで済むのでコストを現状維持することができる。また、カートリッジ本体１１の端面を確認することにより、レンズ付きフイルムユニット専用か否かが簡単に判別できる。
【００２９】
次に、本発明のフイルムカートリッジの第３の実施形態について説明する。本実施形態も上記各実施形態と同様に、同じ部品については同符号を用いる。図６に示すように、本実施形態では、端面に未使用，撮影途中をそれぞれ表す形状の凹部４０，４１が形成された第１ケース１４と、端面に撮影済み，現像済みをそれぞれ表す表示開口５，６が形成された第２ケース１５とを用いてレンズ付きフイルムユニット専用のフイルムカートリッジ１０としている。
【００３０】
これによれば、ユーザーによって取り出されたフイルムカートリッジ１０は、表示板２７が表示開口５，６の背後に停止されて外部に露呈されている状態か、凹部４０，４１の背後で停止されて視認できない状態のいずれかとなるので、ユーザーが未使用品と誤ってカメラに装填する誤装填を防止することができる。更に、第２ケース１５は、一般のカメラ用のフイルムカートリッジと同じものなので、第１ケース１４のみを専用の部品とするだけで済む。また、上記各実施形態と同様に、カートリッジ本体１１の端面を確認することにより、レンズ付きフイルムユニット専用か否かが簡単に判別できる。
【００３１】
次に、本発明のフイルムカートリッジの第４の実施形態について説明する。本実施形態も上記各実施形態と同様に、同じ部品については同符号を用いる。図９に示すように、本実施形態では、端面に未使用，撮影途中をそれぞれ表す形状の凹部４０，４１が形成された第１ケース１４と、端面に現像済みを表す表示開口５と、撮影済みを凹部４２とが形成された第２ケース１５とを用いてレンズ付きフイルムユニット専用のフイルムカートリッジ１０としている。
【００３２】
図１０は、本発明のフイルムカートリッジの第５の実施形態を示すものである。本実施形態では、端面に何も形成されていない第１ケース１４と、端面に撮影済みを表す表示開口６が形成された第２ケース１５とを用いてレンズ付きフイルムユニット専用のフイルムカートリッジ１０としている。
【００３３】
上記第４及び第５の実施形態によれば、ユーザーによって取り出されたフイルムカートリッジ１０は、表示板２７が表示開口５の背後に停止されて外部に露呈されている状態か、凹部４０，４１，４２の背後、あるいは第１ケース１４の端面の背後で停止されて視認できない状態のいずれかとなるので、ユーザーが未使用品と誤ってカメラに装填する誤装填を防止することができる。また、上記各実施形態と同様に、カートリッジ本体１１の端面を確認することにより、レンズ付きフイルムユニット専用か否かが簡単に判別できる。
【００３４】
次に、本発明のフイルムカートリッジの第６の実施形態について説明する。本実施形態も上記各実施形態と同様に、同じ部品については同符号を用いる。図１１に示すように、本実施形態では、端面に何も形成されていない第１ケース１４と、端面に撮影済みを表す表示開口５と、現像済みを表す表示開口６とが形成された第２ケース１５とを用いてレンズ付きフイルムユニット専用のフイルムカートリッジ１０としている。
【００３５】
これによれば、ユーザーによって取り出されたフイルムカートリッジ１０は、表示板２７が表示開口５，６の背後に停止されて外部に露呈されている状態か、第１ケース１４の端面の背後で停止されて視認できない状態のいずれかとなるので、ユーザーが未使用品と誤ってカメラに装填する誤装填を防止することができる。また、上記各実施形態と同様に、カートリッジ本体１１の端面を確認することにより、レンズ付きフイルムユニット専用か否かが簡単に判別できる。
【００３６】
次に、本発明のフイルムカートリッジの第７の実施形態について説明する。本実施形態も上記各実施形態と同様に、同じ部品については同符号を用いる。図１２に示すように、本実施形態では、端面に未使用を表す表示開口３と、撮影途中を表す表示開口４とが形成された第１ケース１４と、撮影済みを表す表示開口５と現像済みを表すとともに内面に印刷４４が施された凹部４３とが形成された第２ケース１５とを用いてレンズ付きフイルムユニット専用のフイルムカートリッジ１０としている。また、表示板２７は、第１ケース１４，第２ケース１５と同色とされている。
【００３７】
これによれば、表示板２７が表示開口３〜５のいずれかから露呈されていても、第１ケース１４，第２ケース１５と同色なので目立たず、また現像済みを表す位置には、印刷４４の施された凹部４３が設けられているので、ユーザーが未使用品と誤ってカメラに装填する誤装填を防止することができる。また、上記各実施形態と同様に、カートリッジ本体１１の端面を確認することにより、レンズ付きフイルムユニット専用か否かが簡単に判別できる。
【００３８】
なお、第１ケース，第２ケースともに表示開口が形成されているものを用い、第１ケースの未使用，撮影途中を表す表示開口と、撮影済みを表す表示開口とに、例えば内側から同色のテープを貼着して内部の表示板が視認できないようにしても、上記第３，第４の実施形態と同様の効果が得られる。
【００３９】
【発明の効果】
以上説明したように、本発明のフイルムカートリッジによれば、印刷されたマーク、あるいは印刷が施された凹部を現像済みを表す表示開口の位置に設けたり、表示板が現像済みを表す表示開口、あるいは現像済みを表す表示開口と撮影済みを表す表示開口とからしか外部に露呈されないようにしたので、レンズ付きフイルムユニットから取り出されたフイルムカートリッジは、未使用あるいは撮影途中であるという表示を行うことがなく、カメラ等への誤装填による二重露光等を防止することができる。
【００４０】
また、部品点数も増えず、第１，第２ケースの変更は現状の金型を僅かに手直しするだけで可能となるので、低コストに採用することができる。更に、カートリッジ本体の端面を確認することにより、レンズ付きフイルムユニット専用のフイルムカートリッジか否かが簡単に判別できる。
【図面の簡単な説明】
【図１】第１の実施形態のフイルムカートリッジの一方の端面を示すものである。
【図２】第１の実施形態のフイルムカートリッジの構成を示す分解斜視図である。
【図３】第１の実施形態のフイルムカートリッジの要部断面図である。
【図４】第２の実施形態のフイルムカートリッジの一方の端面を示すものである。
【図５】第２の実施形態のフイルムカートリッジの要部断面図である。
【図６】第３の実施形態のフイルムカートリッジの一方の端面を示すものである。
【図７】従来のフイルムカートリッジの一方の端面を示すものである。
【図８】従来のフイルムカートリッジの要部断面図である。
【図９】第４の実施形態のフイルムカートリッジの一方の端面を示すものである。
【図１０】第５の実施形態のフイルムカートリッジの一方の端面を示すものである。
【図１１】第６の実施形態のフイルムカートリッジの一方の端面を示すものである。
【図１２】第７の実施形態のフイルムカートリッジの一方の端面を示すものである。
【符号の説明】
２，１１  カートリッジ本体
３〜６  表示開口
８，２７  表示板
１０  フイルムカートリッジ
１２  写真フイルム
１４  第１ケース
１５  第２ケース
１６  スプール
３４  マーク
４０〜４３  凹部
【図１】
0003732310.tif 000002
【図２】
0003732310.tif 000003
【図３】
0003732310.tif 000004
【図４】
0003732310.tif 000005
【図５】
0003732310.tif 000006
【図６】
0003732310.tif 000007
【図７】
0003732310.tif 000008
【図８】
0003732310.tif 000009
【図９】
0003732310.tif 000010
【図１０】
0003732310.tif 000011
【図１１】
0003732310.tif 000012
【図１２】
0003732310.tif 000013